(57)【要約】【課題】異なる帯域の信号で通信を行うタグを複数組み込んだ情報記録装置において、メモリ管理を改善する。【解決手段】ＨＦタグ用リーダライタ２０２からＨＦタグ１０２にデータＡを記録する。ＣＰＵ１０８がＨＦタグ１０２における情報の更新を検知する。ＣＰＵ１０８が、ＨＦタグ１０２に記録された情報すなわちデータＡを読み取る。ＣＰＵ１０８がデータＡを、ＵＨＦ帯の通信で扱いやすいデータ形式のデータｆ（Ａ）に変換してからＵＨＦタグ１０４に記録する。ＲＦ読み取りフェーズにおいて、ＵＨＦタグ用のリーダライタが、ＵＨＦタグ１０４からデータｆ（Ａ）を読み取る。【選択図】図２
2015111362.tif 000002
【特許請求の範囲】
【請求項１】
各々が異なる帯域の信号を受信する複数の受信手段と、
各々が異なる受信手段に接続され、受信された前記信号に基づいて情報を記録する複数のメモリ手段と、
前記複数のメモリ手段のうちの１つに記憶された情報が更新されると、前記複数のメモリ手段のうちの別のメモリ手段を当該更新された情報により更新する制御手段と
を備えたことを特徴とする情報記録装置。
【請求項２】
前記制御手段に接続された出力手段であって、前記複数のメモリ手段のうちの１つに記憶された情報を出力する出力手段をさらに備えたことを特徴とする請求項１に記載の情報記録装置。
【請求項３】
前記制御手段に給電する給電手段をさらに備えたことを特徴とする請求項１または２に記載の情報記録装置。
【請求項４】
前記給電手段は、前記複数の受信手段のうちの１つにより受信された信号に基づいて電力を蓄積することを特徴とする請求項３に記載の情報記録装置。
【請求項５】
前記異なる帯域の信号のうちの１つを受信する電力取得用受手段をさらに備え、
前記給電手段は、前記電力取得用受信手段により受信された信号に基づいて電力を蓄積することを特徴とする請求項３に記載の情報記録装置。
【請求項６】
前記制御手段は、前記複数のメモリ手段のうちの１つに記憶された情報が所定のタイミングで更新されると、前記複数のメモリ手段のうちの別のメモリ手段を当該更新された情報により更新することを特徴とする請求項１ないし５のいずれかに記載の情報記録装置。
【請求項７】
各々が異なる帯域の信号を受信する複数の受信手段と、各々が異なる受信手段に接続され、受信された前記信号に基づいて情報を記録する複数のメモリ手段とを含む情報記録装置が実行する記録情報管理方法であって、
前記複数のメモリ手段のうちの１つに記憶された情報が更新されると、前記情報記録装置の制御手段が、前記複数のメモリ手段のうちの別のメモリ手段を当該更新された情報により更新するステップと
を含むことを特徴とする記録情報管理方法。
【請求項８】
前記複数のメモリ手段のうちの１つに記憶された情報を、前記制御手段に接続された出力手段に出力するステップをさらに含むことを特徴とする請求項７に記載の記録情報管理方法。
【請求項９】
前記情報記録装置の給電手段から前記制御手段に給電するステップをさらに含むことを特徴とする請求項７または８に記載の記録情報管理方法。
【請求項１０】
前記給電するステップは、前記複数の受信手段のうちの１つにより受信された信号に基づいて蓄積された電力を供給することを特徴とする請求項９に記載の記録情報管理方法。
【請求項１１】
前記情報記録装置は、前記異なる帯域の信号のうちの１つを受信する電力取得用受信手段をさらに備え、
前記給電するステップは、前記電力取得用受信手段により受信された信号に基づいて蓄積された電力を供給することを特徴とする請求項９に記載の記録情報管理方法。
【請求項１２】
前記制御するステップは、前記複数のメモリ手段のうちの１つに記憶された情報が所定のタイミングで更新されると、前記複数のメモリ手段のうちの別のメモリ手段を当該更新された情報により更新することを特徴とする請求項７ないし１１のいずれかに記載の記録情報管理方法。
【発明の詳細な説明】
【技術分野】
【０００１】
本発明は、情報記録装置および記録情報管理方法に関し、より詳細には、異なるインタフェースにより通信を行う情報記録装置および記録情報管理方法に関する。
【背景技術】
【０００２】
従来から、ＩＣカード等の情報記録装置に複数のインタフェースを持たせる技術が知られている。例えば、特許文献１には、１つのＩＣカードに接触式インタフェースと非接触式インタフェースとを含んだ複合ＩＣカードが記載されている。
【０００３】
また、最近、情報記録用機器に出力インタフェースを持たせる技術として、非接触式インタフェースに加えて表示装置と組み合わせて実装したシステムが知られている（例えば、特許文献２参照）。
【先行技術文献】
【特許文献】
【０００４】
【特許文献１】特開平１１−２７２８２２号公報
【特許文献２】特開２００４−２６５１７６号公報
【発明の概要】
【発明が解決しようとする課題】
【０００５】
上記のような複数の通信インタフェースを組み込んだ情報記録用機器では、メモリに記録される情報の管理をデバイス単位ではなく通信インタフェース単位で行っている。したがって、例えば複数の通信インタフェースが無線通信インタフェースである場合、様々な環境で通信が行えるにも関わらず、帯域ごとに通信の用途が限定されてしまうという問題があった。
【０００６】
また、１つのデバイスに含まれた複数の通信インタフェース用のメモリに記録された情報を組み合わせて用いるには、異なるリーダライタ（Ｒ／Ｗ）から対応する通信インタフェース用のメモリに記録された情報を読み出して、読み出された情報をサーバに送信し、このサーバにおいて受信した情報を組み合わせなければならない。したがって、情報を組み合わせるサーバ側では、異なる複数のインタフェースを介してデバイスと通信を行わなければならないという問題があった。
【０００７】
また、非接触式インタフェースを有する情報記録用機器を表示装置等のデバイスと組み合わせた構成の場合、当該デバイスや、これを制御するＣＰＵを制御するため別途電力が必要となり、情報記録装置全体としての規模が大型化・複雑化してしまうという問題があった。
【０００８】
本発明はこのような問題に鑑みてなされたものであり、その目的とするところは、異なる帯域の信号で通信を行うタグを複数組み込んだ情報記録装置において、メモリ管理を改善した情報記録装置およびその記録情報管理方法を提供することにある。
【０００９】
本発明の別の目的は、非接触式情報記録用機器と接続されたＣＰＵ等の構成要素に、簡易な構成で動作電力を供給することができる情報記録装置およびその記録情報管理方法を提供することにある。
【課題を解決するための手段】
【００１０】
このような目的を達成するために、本発明に係る情報記録装置は、各々が異なる帯域の信号を受信する複数の受信手段と、各々が異なる受信手段に接続され、受信された前記信号に基づいて情報を記録する複数のメモリ手段と、前記複数のメモリ手段のうちの１つに記憶された情報が更新されると、前記複数のメモリ手段のうちの別のメモリ手段を当該更新された情報により更新する制御手段とを備える。
【００１１】
ここで、前記制御手段に接続された出力手段であって、前記複数のメモリ手段のうちの１つに記憶された情報を出力する出力手段をさらに備えたものとすることができる。
【００１２】
また、前記制御手段に給電する給電手段をさらに備えたものとすることができる。
【００１３】
ここで、前記給電手段は、前記複数の受信手段のうちの１つにより受信された信号に基づいて電力を蓄積するものとすることができる。
【００１４】
また、前記異なる帯域の信号のうちの１つを受信する電力取得用受手段をさらに備え、前記給電手段は、前記電力取得用受信手段により受信された信号に基づいて電力を蓄積するものとすることができる。
【００１５】
また、前記制御手段は、前記複数のメモリ手段のうちの１つに記憶された情報が所定のタイミングで更新されると、前記複数のメモリ手段のうちの別のメモリ手段を当該更新された情報により更新するものとすることができる。
【００１６】
本発明の他の態様によれば、本発明に係る記録情報管理方法は、各々が異なる帯域の信号を受信する複数の受信手段と、各々が異なる受信手段に接続され、受信された前記信号に基づいて情報を記録する複数のメモリ手段とを含む情報記録装置が実行する記録情報管理方法であって、前記複数のメモリ手段のうちの１つに記憶された情報が更新されると、前記情報記録装置の制御手段が、前記複数のメモリ手段のうちの別のメモリ手段を当該更新された情報により更新するステップとを含む。
【００１７】
ここで、前記複数のメモリ手段のうちの１つに記憶された情報を、前記制御手段に接続された出力手段に出力するステップをさらに含むものとすることができる。
【００１８】
また、前記情報記録装置の給電手段から前記制御手段に給電するステップをさらに含むものとすることができる。
【００１９】
ここで、前記給電するステップは、前記複数の受信手段のうちの１つにより受信された信号に基づいて蓄積された電力を供給するものとすることができる。
【００２０】
また、前記情報記録装置は、前記異なる帯域の信号のうちの１つを受信する電力取得用受信手段をさらに備え、前記給電するステップは、前記電力取得用受信手段により受信された信号に基づいて蓄積された電力を供給するものとすることができる。
【００２１】
また、前記制御するステップは、前記複数のメモリ手段のうちの１つに記憶された情報が所定のタイミングで更新されると、前記複数のメモリ手段のうちの別のメモリ手段を当該更新された情報により更新するものとすることができる。
【発明の効果】
【００２２】
本発明によれば、各々が異なる帯域の信号を受信する複数の受信手段と、各々が異なる受信手段に接続され、受信された信号に基づいて情報を記録する複数のメモリ手段と、複数のメモリ手段のうちの１つに記憶された情報が更新されると、複数のメモリ手段のうちの別のメモリ手段を当該更新された情報により更新する制御手段とを備えるので、情報記録装置に記憶された情報の読み取り側では、機能を拡張することなく、少なくとも１つの帯域の信号で当該情報記録装置に記憶された最新の情報を取得することができる。
【００２３】
また、情報記録装置内の複数のメモリに記録された情報をサーバで管理するシステムを比較的容易に構成することができると共に、異なる帯域を用いた通信の用途に幅を持たせることができる。
【００２４】
さらに、給電手段は、複数の受信手段のうちの１つにより受信された信号に基づいて電力を蓄積するので、電池の交換や、充電といった作業を特に意識することなく、情報記録装置を利用することができる。
【図面の簡単な説明】
【００２５】
【図１】本発明の一実施得形態に係る情報記録装置の機能構成を示すブロック図である。
【図２】本発明の一実施得形態に係る記録情報管理方法の手順を示す通信シーケンス図である。
【図３】本発明の一実施得形態に係る情報記録装置の機能構成を示すブロック図である。
【図４】本発明の一実施得形態に係る記録情報管理方法の手順を示すフローチャートである。
【図５】本発明の一実施得形態に係る情報記録装置の機能構成を示すブロック図である。
【発明を実施するための形態】
【００２６】
以下、図面を参照して、本発明に係る実施形態を説明する。
【００２７】
（第１実施形態）
図１は、本発明の第１実施形態に係る情報記録装置の基本的構成を示すブロック図である。本実施形態に係る情報記録装置は無線通信インタフェースを介して無線搬送波信号を受信し、当該受信された信号に基づいてメモリの情報の記録し、またはメモリの情報を読み出す。
【００２８】
情報記録装置１００は、ＨＦタグ１０２、ＵＨＦタグ１０４、表示部１０６、ＣＰＵ１０８、電源回路１１８およびバッテリデバイス１２４を含んでいる。これらの構成要素は、１つの筐体内に収められている。
【００２９】
ＨＦタグ１０２およびＵＨＦタグ１０４は、シリアルインタフェースを有するＲＦＩＤ（Ｒａｄｉｏ Ｆｒｅｑｕｅｎｃｙ ＩＤｅｎｔｉｆｉｃａｔｉｏｎ）タグである。これらＲＦＩＤタグのシリアルインタフェースとして、Ｉ２Ｃ, ＳＰＩ, ＵＡＲＴ, ＭｉｃｒｏＷｉｒｅ等の周知のシリアルバス規格に準拠したインタフェースを使用することができる。ＣＰＵ１０８は、このシリアルインタフェースを介してＨＦタグ１０２およびＵＨＦタグ１０４に接続されている。
【００３０】
ＨＦタグ１０２は、１３．５６ＭＨｚ帯（ＨＦ帯）の搬送波を送受信するためのＨＦアンテナ１１０、データの送受信およびＨＦメモリの読み書きを制御するためのＨＦ制御部１１２、およびＨＦメモリ１１４を含んでいる。このような構成により、ＨＦタグ１０２は、外部からＨＦ搬送波の信号をＨＦアンテナ１１０により受信すると、受信搬送波により起電力を発生して動作を開始する。次いで、ＨＦ制御部１１２が受信搬送波を復調して得られた情報をＨＦメモリ１１４に記録する。また、ＨＦメモリ１１４に記録された情報をＨＦ制御部１１２により読み出して、当該読み出された情報に基づきＨＦ搬送波を変調してＨＦアンテナ１１０から送出する。
【００３１】
ＵＨＦタグ１０４は、９００ＭＨｚ帯（ＵＨＦ帯）の搬送波を送受信するためのＵＨＦアンテナ１２２、データの送受信およびＵＨＦメモリの読み書きを制御するためのＵＨＦ制御部１２０、およびＵＨＦメモリ１１６を含んでいる。このような構成により、ＵＨＦタグ１０４は、外部からＵＨＦ搬送波の信号をＵＨＦアンテナ１２２により受信すると、受信搬送波により起電力を発生して動作を開始する。次いで、ＵＨＦ制御部１２０が受信搬送波を復調して得られた情報をＵＨＦメモリ１１６に記録する。また、ＵＨＦメモリ１１６に記録された情報をＵＨＦ制御部１２０により読み出して、当該読み出された情報に基づきＵＨＦ搬送波を変調してＵＨＦアンテナ１２２から送出する。
【００３２】
ここで、本実施形態において用いられる異なる帯域の信号について説明する。ＲＦＩＤタグを用いたシステムでは、種々の周波数帯が利用される。周波数帯は、通常、使用目的に応じて、ＨＦ帯，ＵＨＦ帯等の異なる帯域の使い分けがなされる。
【００３３】
例えば、スマートフォンとの近接通信等に用いられるＨＦ帯は通常ｃｍ単位の通信距離で用いられ、スマートポスター、小売店での商品管理システムなどに利用されることが多い。本実施形態では、ＨＦ帯の通信を行う際に情報記録装置１００をＨＦ帯用のリーダライタにかざすことにより通信を行う態様が想定される。
【００３４】
また、ＵＨＦ帯のＲＦＩＤシステムは，通信距離が数１０ｃｍ〜数１０ｍであり、電波が障害物を回り込みやすいことから、サーバへ接続して情報管理を行う際に使用され、例えば物流管理や商品管理において活用されている。
【００３５】
情報記録装置１００に含まれるＲＦＩＤタグは、上記のように各々が異なる帯域の信号を受信する複数のアンテナおよび制御部と、各々が異なるアンテナおよび制御部に接続され、受信された信号に基づいて情報を記録するメモリとを含んだものである。
【００３６】
本実施形態では、従来のＲＦインタフェースのみを持つＲＦＩＤタグではなく、有線接続の通信インタフェース（シリアルインタフェース）を持つＲＦＩＤタグを複数組み合わせた構成をとる。特に、ＵＨＦ帯およびＨＦ帯等の異なる周波数帯のタグでＣＰＵ１０８を挟むことによって、従来とは違った利用方法を創出する。
【００３７】
ＣＰＵ１０８は、ＨＦメモリ１１４およびＵＨＦメモリ１１６にシリアルインタフェースを介して接続されており、これらメモリに対する情報の更新を管理する。ＣＰＵ１０８として、計算処理をするチップそのもの、およびプログラムを格納することができるメモリを有しているものや他の周辺機能を併せ持つもの（ＭＣＵ）のいずれをも用いることができる。
【００３８】
さらに、ＣＰＵ１０８はＬＥＤ等により構成された表示部１０６に接続されており、ＨＦメモリ１１４またはＵＨＦメモリ１１６に記録された情報に基づいて画像や文字情報の表示を行うように構成されている。
【００３９】
なお、表示部１０６はＣＰＵ１０８が制御可能な出力デバイスの一例であり、これに代えてブザー等の音声を出力する機器を接続することとしても良い。
【００４０】
電源回路１１８は、バッテリデバイス１２４から発生する電圧の値を判断し、昇圧や抑制等の制御を行って、ＣＰＵ１０８に電力を供給するように構成される。
【００４１】
バッテリデバイス１２４は、例えば乾電池、ボタン電池等の一次電池、充電等が可能な二次電池、一時的に電気容量を蓄えることができるキャパシタ等により構成することができる。
【００４２】
次に、ＨＦタグ１０２およびＵＨＦタグ１０４に記録された情報を同期させる方法について説明する。
【００４３】
本発明に係る記録情報を管理するための方法にかかる動作は、ＣＰＵ１０８が不図示の内部メモリに記録されたプログラム（ファームウェア）の実行命令を読み出して実行することにより実現される。
【００４４】
以下、ＵＨＦタグ１０４のメモリに最初に情報を記録する場合（シーン１）と、ＨＦタグ１０２のメモリに最初に情報を記録する場合（シーン２）とに分けて説明する。
（シーン１）ＵＨＦタグ１０４のメモリに最初に情報を記録する場合
ステップ１：ＵＨＦタグ１０４の情報が更新される。
ステップ２：ＣＰＵ１０８がＵＨＦタグ１０４の情報の更新を検知する。
ステップ３：ＣＰＵ１０８がＵＨＦタグ１０４の更新情報を読み取る。
ステップ４：ＣＰＵ１０８がステップ３で読み取った更新情報をＨＦタグ１０２に書き込む。
ステップ５：ＨＦタグ１０２の情報がリーダライタにより読み取られる。
（シーン２）ＨＦタグ１０２のメモリに最初に情報を記録する場合
ステップ１：ＨＦタグ１０２の情報が更新される。
ステップ２：ＣＰＵ１０８がＨＦタグ１０２の情報の更新を検知する。
ステップ３：ＣＰＵ１０８がＨＦタグ１０２の更新情報を読み取る。
ステップ４：ＣＰＵ１０８がステップ３で読み取った更新情報をＵＨＦタグ１０４に書き込む。
ステップ５：ＵＨＦタグ１０４の情報がリーダライタにより読み取られる。
【００４５】
上記から分かるように、（シーン１）および（シーン２）のいずれの場合においても、一方のタグ用のリーダライタで情報を更新したとしても、他方のタグ用のリーダライタにより最新の情報を読み取ることができる。
【００４６】
また、ＣＰＵ１０８においても、ＨＦタグ１０２およびＵＨＦタグ１０４のうちの一方のメモリ情報が更新された場合、複数の帯域のリーダライタを持ったシステムを経由することなく、リーダライタでいずれかのメモリ情報を読み出すだけで、他方のメモリ情報の更新を知ることができる。
【００４７】
（シーン１）および（シーン２）では、ＣＰＵが複数のタグのメモリ情報を管理し、情報の更新があった際、記録を行ったリーダライタとは異なる帯域のリーダライタで読み取りが行われる前に、情報を更新したタグとは異なる帯域のタグに更新情報に伴った情報を記録する。ここで、図２を参照し、シーン２を例に挙げて、この動作に関わる通信シーケンスの概略を説明する。
【００４８】
まず、（１）ＲＦ記録フェーズにおいて、ＨＦタグ用リーダライタ２０２からＨＦタグ１０２にデータＡを記録する。
【００４９】
次いで、（２）検知フェーズにおいて、ＣＰＵ１０８がＨＦタグ１０２における情報の更新を検知する。
【００５０】
次いで、（３）シリアル読み取りフェーズにおいて、ＣＰＵ１０８が、ＨＦタグ１０２に記録された情報すなわちデータＡを読み取る。
【００５１】
次いで、（４）シリアル記録フェーズにおいて、ＣＰＵ１０８がデータＡを、ＵＨＦ帯の通信で扱いやすいデータ形式のデータｆ（Ａ）に変換してからＵＨＦタグ１０４に記録する。
【００５２】
そして、（５）ＲＦ読み取りフェーズにおいて、ＵＨＦタグ用のリーダライタ２０４が、ＵＨＦタグ１０４からデータｆ（Ａ）を読み取る。
【００５３】
なお、ＵＨＦタグ１０４に記録される情報は、データｆ（Ａ）に変換することなくデータＡをそのまま用いることとしても良い。
【００５４】
なお、ＵＨＦメモリ１１６の更新を確認した場合にＨＦメモリ１１４に記録された情報を更新する方法も同様に行うことができる。
【００５５】
次に、ＣＰＵ１０８がＨＦメモリ１１４に記録された情報の更新を検知する方法について説明する。
【００５６】
一実施形態によれば、ＣＰＵ１０８は一定時間ごとにスリープモード、スタンバイモード等の低消費電力モードからウェイクアップモードに復帰することにより更新を検知し、ＨＦメモリ１１４に記録された情報をアクセスする。
【００５７】
別の実施形態によれば、各タグは割り込み信号を送信する機能（割り込み端子）を有する。そして、上記のような低消費電力モードにあるＣＰＵ１０８に対し、各種タグが搬送波の検知を示す信号を割り込み信号として送信する。ＣＰＵ１０８は、割り込み信号を受信することにより、ＨＦメモリ１１４に記録された情報の更新を検知する。この場合、各種タグが搬送波を検知してからＨＦメモリ１１４に情報を記録するまでに時間差があるため、割り込み信号を受信したＣＰＵ１０８は、ＨＦタグ１０２のメモリ領域を読み取りに行くことを一定時間待つ必要がある。
【００５８】
なお、ＨＦタグ１０２においてＨＦ制御部１１２がＨＦメモリ１１４の情報を更新した場合、その旨を示す割り込み信号をＨＦタグ１０２からＣＰＵ１０８に送信することとしても良い。この場合、ＣＰＵ１０８は受信した信号によりＨＦメモリ１１４の更新を検知することができる。
【００５９】
別の実施形態によれば、ＣＰＵ１０８は不揮発性メモリを有し、この不揮発性メモリを、更新された情報を保持しておく情報保持用メモリとして用いることにより、情報の更新の判定を行う。この場合、ＣＰＵ１０８は一定時間ごとに低消費電力モードからウェイクアップモードに復帰し、ＨＦメモリ１１４に記録された情報を順に読み取り、情報保持用メモリに記録された情報と比較する。そして、比較される情報の間に差分が存在すれば、情報が更新されたと判定することができる。
【００６０】
ここで、情報の比較においては、タグ用のメモリと情報保持用メモリの全内容を比較することとしても良い。この場合、比較の結果差分が生じていれば、情報が更新されたと判定し、次回の比較用にタグ用のメモリの情報を情報保持用メモリに上書きする。
【００６１】
あるいは、情報の比較において、タグ用のメモリおよび情報保持用メモリに記録されたデータのタイムスタンプフラグを比較することとしても良い。この場合、比較の結果差分が生じていれば、情報が更新されたと判定し、次回の比較用にタイムスタンプフラグのみを情報保持用メモリに上書きする。
【００６２】
あるいは、情報の比較において、タグ用のメモリに記録された情報のBCC(Block Check Character)やハッシュタグ等の情報の変化がわかる数バイトのフラグを比較することとしても良い。この場合、タグ用のメモリから読み出した情報から情報の変化がわかる数バイトのフラグを計算し、情報保持用メモリに記録されたフラグと比較を行う。比較の結果差分が生じていれば、情報が更新されたと判定し、次回の比較用に情報保持用メモリに新しいフラグを上書きする。
【００６３】
なお、ＣＰＵ１０８がＵＨＦメモリ１１６に記録された情報の更新を検知する方法についても上記と同様に行うことができる。
【００６４】
（第２実施形態）
上述したような、ＣＰＵとＲＦＩＤタグとが接続された構成では、従来のＲＦＩＤタグ単体とは異なり、ＣＰＵやＣＰＵに接続された表示部等のデバイスの電力に注意を払う必要がある。ＣＰＵ等が駆動するために十分な電力がバッテリデバイスに蓄えられていない場合、ＣＰＵ等の駆動を賄う電力が得られない。ＲＦＩＤタグとＣＰＵ等との組み合わせを考えた場合、バッテリデバイスへの給電方法が問題となる。
【００６５】
本発明の第２実施形態では、本来通信用として用いられる搬送波エネルギー（交流）を整流器に通して直流に変換し、バッテリデバイスに給電する。
【００６６】
次に、図３を参照し、本発明の第２実施形態に係る情報記録装置の構成を説明する。同図において、図１と同様の機能を有する構成要素については同様の参照符号を用いている。
【００６７】
本実施形態において、バッテリデバイス１２４は、複数の通信アンテナのうちの１つにより受信された搬送波に基づいて電力を蓄積する。
【００６８】
情報記録装置３００は、図１に示す構成に加えて、ＨＦ整流回路３０２およびＵＨＦ整流回路３０４を含んでいる。ＨＦ整流回路３０２は、ＨＦアンテナ１１０により受信した搬送波信号の交流電力を直流電力に変換してバッテリデバイス１２４に蓄積する。ＵＨＦ整流回路３０４は、ＵＨＦアンテナ１２２により受信した搬送波信号の交流電力を直流電力に変換してバッテリデバイス１２４に蓄積する。
【００６９】
このように、各種の周波数帯域のいずれかに対応した整流回路を情報記録装置に持たせることにより、本来通信のために用いられる搬送波を、ＣＰＵ等の駆動用の電力として賄うことができる。
【００７０】
なお、ＣＰＵ等の駆動電流が非常に小さい場合、バッテリデバイスへの給電を待つことなく、ＣＰＵ等を駆動させるように回路を組み込むことができる。
【００７１】
次に、本実施形態において、ＣＰＵ１０８がＨＦメモリ１１４に記録された情報の更新を検知する方法について説明する。
【００７２】
ＣＰＵ１０８を駆動するために十分な電力がバッテリデバイス１２４に蓄えられている場合は、第１実施形態において記載したのと同様の方法が採用できる。一方、十分な電力がバッテリデバイス１２４に蓄えられていない場合は、以下の動作により検知を行う。
【００７３】
図２の（１）ＲＦ記録フェーズが終わった後、リーダライタ２０２から搬送波を加え続けることにより、整流回路３０２を通った電流がバッテリデバイス１２４に蓄えられる。ＣＰＵ１０８が駆動するために十分な電力がバッテリデバイス１２４に蓄えられると、ＣＰＵ１０８が、低消費電力モードからウェイクアップモードに移行することにより更新を検知することができる。この後図２の（３）〜（５）の動作を行うようにＣＰＵ１０８を動作させることにより、複数のタグでメモリ情報を同期させることができる。
【００７４】
ここで、ＣＰＵが起動した後、複数のタグのうちどのタグを読み取りに行くか分からないと、無駄な時間・電力を消費してしまうので、メモリ情報の更新があった際に、メモリ情報を同期させるタグを限定させておくことが望ましい。
【００７５】
例えば、本実施形態のように、ＣＰＵにＨＦタグおよびＵＨＦタグをシリアルインタフェースを介して接続した構成の場合、ＨＦ帯のリーダライタと通信があるときのみ、メモリ情報の同期を行うことが望ましい。これは、ＨＦ帯の方がＵＨＦ帯よりもタグとリーダライタとを通信させる距離が近く、搬送波からより多くの電力を得ることができるため、および全体の構成を考慮すると、どちらか一方のメモリ情報が更新された際に同期をとるだけで十分であるためである。
【００７６】
次に、図４を参照し、本実施形態に係る情報記録装置が実行する記録情報管理方法の手順について説明する。
【００７７】
ステップＳ５００２において、ＨＦアンテナ１１０を介してＨＦ搬送波を受信する。
【００７８】
次いで、ステップＳ５００４において、ＨＦアンテナ１１０から受信された交流電力をＨＦ整流回路３０２において直流電力に変換し、バッテリデバイス１２４に蓄電する。
【００７９】
次いで、ステップＳ５００６において、バッテリデバイス１２４に蓄積された電力を電源回路１１８を通じてＣＰＵ１０８に供給することにより、ＣＰＵ１０８が起動する。
【００８０】
次いで、ステップＳ５００８において、ＣＰＵ１０８がＨＦメモリ１１４へアクセスし、ステップＳ５０１０において、ＨＦメモリ１１４に記録された情報が更新されているか判定する。
【００８１】
ここで、ＨＦメモリ１１４に記録された情報が更新されている場合は、ステップＳ５０１２に移行し、ＨＦメモリ１１４に記録された情報を読み取る。
【００８２】
次いで、ステップＳ５０１４において、読み取った情報に基づいてＵＨＦメモリ１１６のメモリ情報を更新する。
【００８３】
一方、ＨＦメモリ１１４が更新されていない場合には、処理を終了する。
【００８４】
このような動作により、消費電力を抑えた構成においても、効率的に異なるメモリ情報を同期させることができる。
【００８５】
（第３実施形態）
上述した第２実施形態では、ＣＰＵが駆動するのに十分な電力を簡易な構成で供給することができる。しかしながら、１つのアンテナが通信と給電の機能を有するため、通信が安定しにくく、給電も安定しにくくなる。
【００８６】
本発明の第３実施形態では、通信用のアンテナと給電用のアンテナとが独立して存在するため、通信・給電共に安定しやすくなる。
【００８７】
次に、図５を参照し、本発明の第３実施形態に係る情報記録装置の構成を説明する。同図において、図３と同様の機能を有する構成要素については同様の参照符号を用いている。
【００８８】
本実施形態において、情報記録装置は、異なるインタフェースのうちの１つを介して信号を受信する電力取得用アンテナを含んでいる。バッテリデバイス１２４は、これら電力取得用アンテナのうちの１つにより受信された搬送波に基づいて電力を蓄積する。
【００８９】
情報記録装置３００は、図３に示す構成に加えて、ＨＦアンテナ４０２およびＵＨＦアンテナ４０４を含んでいる。ＨＦ整流回路３０２は、ＨＦアンテナ４０２により受信した搬送波信号の交流電力を直流電力に変換してバッテリデバイス１２４に蓄積する。ＵＨＦ整流回路３０４は、ＵＨＦアンテナ４０４により受信した搬送波信号の交流電力を直流電力に変換してバッテリデバイス１２４に蓄積する。
【００９０】
このように構成することにより、バッテリデバイスに蓄積する電力を、専用の通信アンテナにより取得用することができる。また、専用の電力取得用アンテナをさらに設けたことにより、通信を安定化させることができる。
【００９１】
なお、図５に示す例では電力取得用アンテナを２つ設けているが、一方の帯域の信号についてのみ電力取得用アンテナを設けることとしても良い。
【００９２】
（他の実施形態）
上記実施形態に係る情報記録装置として、以下のような応用例が考えられる。
【００９３】
（１）ＨＦ帯用のリーダライタにかざして通信を行う度にメモリ情報の同期をとり、ＵＨＦアンテナからＵＨＦ帯用のリーダライタに対して更新情報の信号を送る情報記録装置。
【００９４】
（２）ＨＦ帯用のリーダライタに所定の回数情報記録装置をかざしたとき、メモリ情報の同期をとり、当該情報記録装置のＵＨＦアンテナからＵＨＦ帯用のリーダライタに対して更新情報の信号を送る情報記録装置。このような装置は、ＣＰＵが低消費電力モードからウェイクアップモードに復帰した回数、またはいずれか一つのタグからの割り込み信号を受信した回数を積算し、得られた値に基づいて同期をとるタイミングを判断することにより実現される。
【００９５】
（３）所定の時刻、時間間隔、または管理者が指示したタイミングに応答して、ＵＨＦ帯用のリーダライタから情報を更新し、ＨＦメモリとＵＨＦメモリとにおけるメモリ情報の同期をとることにより、ＨＦ帯用のリーダライタから読み取る情報に変化を持たせる情報記録装置。このような装置は、ＣＰＵが所定の時刻、時間間隔、または管理者が指示したタイミングを記憶しておき、当該記憶された情報に基づいて同期をとるタイミングを判断することにより実現される。
【００９６】
なお、上述の実施形態では異なる帯域の信号としてＵＨＦ帯およびＨＦ帯の搬送波信号を用いた情報記録装置について説明したが、上記の例に限定されず種々の規格に準拠した信号を用いることができる。例えば、非接触通信インタフェースは、ＩＳＯ/ＩＥＣ  １４４４３，ＩＳＯ/ＩＥＣ  １８０９２,ＩＳＯ/ＩＥＣ  １５６９３等の種々の規格に準拠したものを用いることができる。
【００９７】
さらに、上述した種々の実施形態に係る情報記録装置は、ＨＦ帯用のリーダライタおよびＵＨＦ帯用のリーダライタ、ならびにいずれかのリーダライタと接続されてタグに記録される情報の管理を行うサーバコンピュータと組み合わせて情報管理システムを構成することができる。
【産業上の利用可能性】
【００９８】
本発明は、ＲＦＩＤタグ、ＩＣカード等の情報記録装置に利用することができる。
【符号の説明】
【００９９】
１０２  ＨＦタグ
１０４  ＵＨＦタグ
１０６  表示部
１０８  ＣＰＵ
１１０  ＨＦアンテナ
１１２  ＨＦ制御部
１１４  ＨＦメモリ
１１６  ＵＨＦメモリ
１１８  電源回路
１２０  ＵＨＦ制御部
１２２  ＵＨＦアンテナ
１２４  バッテリデバイス
３０２  ＨＦ整流回路
３０４  ＵＨＦ整流回路
４０２  ＨＦアンテナ
４０４  ＵＨＦアンテナ
【図１】
2015111362.tif 000003
【図２】
2015111362.tif 000004
【図３】
2015111362.tif 000005
【図４】
2015111362.tif 000006
【図５】
2015111362.tif 000007